(57)【特許請求の範囲】
【請求項１】
複数の上り波長を切替え、帯域を可変にして送受信を行うＰＯＮトポロジの光加入者システムに適用する局側装置であって、
加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替完了した波長切替完了報告を新たな上り波長で送信するよう指示して、複数の前記所定周期に跨って前記新たな上り波長で前記波長切替完了報告を待つ局側装置。
【請求項２】
前記局側装置は、前記新たな上り波長を前記加入者装置に指示してから前記波長切替完了報告を受信するまで、当該加入者装置以外の加入者装置に上り波長及び帯域を割り当てることを特徴とする請求項１に記載の局側装置。
【請求項３】
前記局側装置が、前記新たな上り波長を前記加入者装置に指示した後、当該加入者装置に前記新たな上り波長で前記所定周期ごとに前記波長切替完了報告を指示することを繰り返し、前記新たな上り波長で前記信号帯域要求を受信待ちすることを特徴とする請求項１又は２に記載の局側装置。
【請求項４】
前記局側装置が、前記新たな上り波長を前記加入者装置に指示する際に、当該加入者装置が蓄積している上り信号を直ちに送出する時刻及び送出継続時間と、当該加入者装置が前記新たな上り波長に切替を開始する時刻と、を併せて指示することを特徴とする請求項１又は２に記載の局側装置。
【請求項５】
前記局側装置が、前記加入者装置に指示した前記新たな上り波長に切替を開始する時刻の後、当該加入者装置に前記新たな上り波長で前記所定周期ごとに前記波長切替完了報告を指示することを繰り返し、前記新たな上り波長で前記信号帯域要求を受信待ちすることを特徴とする請求項４に記載の局側装置。
【請求項６】
複数の上り波長を切替え、帯域を可変にして送受信を行う局側装置と、
前記局側装置とＰＯＮトポロジで接続され、上り波長を切替え、帯域を可変にして送受信を行う複数の加入者装置と、
を備える光加入者システムであって、
前記局側装置は、前記加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替を完了した波長切替完了報告を新たな上り波長で送信するよう指示して、複数の前記所定周期に跨って前記新たな上り波長で前記波長切替完了報告を待ち、
前記加入者装置は、前記所定周期ごとに上り信号帯域を前記局側装置に要求し、前記局側装置が波長割当を切替えない場合は、前記上り波長を切替えることなく前記局側装置からの前記信号送信開始時刻及び前記送信継続時間の指示に従って送信し、前記局側装置が波長割当を切替える場合は、前記局側装置の指示に従って前記新たな上り波長に切替え、波長切替完了後、前記新たな上り波長で波長切替完了報告を送信する光加入者システム。
【請求項７】
前記局側装置は、前記新たな上り波長を前記加入者装置に指示してから前記波長切替完了報告を受信するまで、当該加入者装置以外の加入者装置に上り波長及び帯域を割り当てることを特徴とする請求項６に記載の光加入者システム。
【請求項８】
前記局側装置が、前記新たな上り波長を前記加入者装置に指示した後、当該加入者装置に前記新たな上り波長で前記所定周期ごとに前記波長切替完了報告を指示することを繰り返し、前記新たな上り波長で前記信号帯域要求を受信待ちすることを特徴とする請求項６又は７に記載の光加入者システム。
【請求項９】
前記局側装置が、前記新たな上り波長を前記加入者装置に指示する際に、当該加入者装置が蓄積している上り信号を直ちに送出する時刻及び送出継続時間と、当該加入者装置が前記新たな上り波長に切替を開始する時刻と、を併せて指示することを特徴とする請求項６又は７に記載の光加入者システム。
【請求項１０】
前記局側装置が、前記加入者装置に指示した前記新たな上り波長に切替を開始する時刻の後、当該加入者装置に前記新たな上り波長で前記所定周期ごとに前記波長切替完了報告を指示することを繰り返し、前記新たな上り波長で前記信号帯域要求を受信待ちすることを特徴とする請求項９に記載の光加入者システム。
【請求項１１】
複数の上り波長を切替え、帯域を可変にして送受信を行う局側装置と、
前記局側装置とＰＯＮトポロジで接続され、上り波長を切替え、帯域を可変にして送受信を行う複数の加入者装置と、を備える光加入者システムの動的波長帯域割当方法であって、
前記加入者装置は、前記所定周期ごとに上り信号帯域を前記局側装置に要求し、
前記局側装置は、前記加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替完了した波長切替完了報告を新たな上り波長で送信するよう指示し、複数の前記所定周期に跨って前記新たな上り波長で前記波長切替完了報告を待ち、
前記加入者装置は、前記局側装置が波長割当を切替えない場合は、前記上り波長を切替えることなく前記局側装置からの前記信号送信開始時刻及び前記送信継続時間の指示に従って送信し、前記局側装置が波長割当を切替える場合は、前記局側装置の指示に従って前記新たな上り波長に切替え、波長切替完了後、前記新たな上り波長で波長切替完了報告を送信する光加入者システムの動的波長帯域割当方法。
【請求項１２】
前記局側装置は、前記新たな上り波長を前記加入者装置に指示してから前記波長切替完了報告を受信するまで、当該加入者装置以外の加入者装置に上り波長及び帯域を割り当てることを特徴とする請求項１１に記載の光加入者システムの動的波長帯域割当方法。
【請求項１３】
前記局側装置が、前記新たな上り波長を前記加入者装置に指示した後、当該加入者装置に前記新たな上り波長で前記所定周期ごとに前記波長切替完了報告を指示することを繰り返し、前記新たな上り波長で前記信号帯域要求を受信待ちすることを特徴とする請求項１１又は１２に記載の光加入者システムの動的波長帯域割当方法。
【請求項１４】
前記局側装置が、前記新たな上り波長を前記加入者装置に指示する際に、当該加入者装置が蓄積している上り信号を直ちに送出する時刻及び送出継続時間と、当該加入者装置が前記新たな上り波長に切替を開始する時刻と、を併せて指示することを特徴とする請求項１１又は１２に記載の光加入者システムの動的波長帯域割当方法。
【請求項１５】
前記局側装置が、前記加入者装置に指示した前記新たな上り波長に切替を開始する時刻の後、当該加入者装置に前記新たな上り波長で前記所定周期ごとに前記波長切替完了報告を指示することを繰り返し、前記新たな上り波長で前記信号帯域要求を受信待ちすることを特徴とする請求項１４に記載の光加入者システムの動的波長帯域割当方法。
【請求項１６】
コンピュータを、請求項１から５のいずれかに記載の局側装置として機能させるためのプログラム。
【発明の詳細な説明】
【技術分野】
【０００１】
本発明は、波長多重及び時分割多重を組み合わせたＰＯＮ（Ｐａｓｓｉｖｅ  Ｏｐｔｉｃａｌ  Ｎｅｔｗｏｒｋｓ）における、波長及び帯域の割り当て方法に関する。
【背景技術】
【０００２】
近年の急速なインターネットの普及に伴い、アクセスサービスシステムの大容量化、高度化、経済化が求められている中、それを実現する手段としてＰＯＮの研究が進められている。ＰＯＮとは、光受動素子による光合分波器を用いて、１個の局側装置及び伝送路の一部を複数の加入者装置で共有することにより、経済化を図る光通信システムである（例えば、特許文献１参照。）。【０００３】
現在、日本では主に１Ｇｂｐｓの回線容量を最大３２ユーザで時分割多重（ＴＤＭ：Ｔｉｍｅ  Ｄｉｖｉｓｉｏｎ  Ｍｕｌｔｉｐｌｅｘｉｎｇ）によって共有する経済的な光加入者システム、ＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）（Ｅｔｈｅｒｎｅｔは登録商標）が導入されている。これにより、ＦＴＴＨ（Ｆｉｂｅｒ  Ｔｏ  Ｔｈｅ  Ｈｏｍｅ）サービスが現実的な料金で提供されるようになった。【０００４】
また、より大容量のニーズに対応するため、次世代光加入者システムとして、総帯域が１０Ｇｂｐｓ級である１０Ｇ−ＥＰＯＮの研究が進められており、２００９年に国際標準化が完了した。これは、送受信器のビットレートを増大させることにより、光ファイバなどの伝送路部分はＧＥ−ＰＯＮと同一のものを利用しながら、大容量化を実現する光加入者システムである。【０００５】
さらなる将来には、超高精細映像サービスやユビキタスサービスなど１０Ｇ級を超える大容量が求められることが考えられるが、単純に送受信器のビットレートを１０Ｇ級から４０／１００Ｇ級に増大させるだけでは、システムアップグレードにかかるコストの増大により、実用化が難しいという課題があった。【０００６】
これを解決する手段として、帯域要求量に応じて局側装置内の送受信器を段階的に増設することができるように、送受信器に波長可変性を付加し、時分割多重（ＴＤＭ）及び波長分割多重（ＷＤＭ：Ｗａｖｅｌｅｎｇｔｈ  Ｄｉｖｉｓｉｏｎ  Ｍｕｌｔｉｐｌｅｘｉｎｇ）を効果的に組み合わせた波長可変型ＷＤＭ／ＴＤＭ−ＰＯＮが報告されている（例えば、非特許文献１参照。）。
【先行技術文献】
【特許文献】
【０００７】
【特許文献１】特開２００３−８７２８１号公報
【非特許文献】
【０００８】
【非特許文献１】Ｈｉｒｏｔａｋａ  Ｎａｋａｍｕｒａ  ｅｔ  ａｌ．，“４０Ｇｂｉｔ／ｓ  λ−ｔｕｎａｂｌｅ  ｓｔａｃｋｅｄ−ＷＤＭ／ＴＤＭ−ＰＯＮ  ｕｓｉｎｇ  ｄｙｎａｍｉｃ  ｗａｖｅｌｅｎｇｔｈ  ａｎｄ  ｂａｎｄｗｉｄｔｈ  ａｌｌｏｃａｔｉｏｎ”，ＯＴｈＴ４，ＯＳＡ／ＯＦＣ／ＮＦＯＥＣ２０１１，２０１１
【非特許文献２】Ｍｉｃｈａｅｌ  Ｐ．  ＭｃＧａｒｒｙ  ｅｔ  ａｌ．，“Ａｎ  ｅｖｏｌｕｔｉｏｎａｒｙ  ＷＤＭ  ｕｐｇｒａｄｅ  ｆｏｒ  ＥＰＯＮｓ“， Ｃｏｍｍｕｎｉｃａｔｉｏｎｓ  Ｍａｇａｚｉｎｅ，ＩＥＥＥ，ｖｏｌ．４４，Ｎｏ．２，ｐｐ．１５−２２，２００６
【非特許文献３】Ｔｓｕｔｏｍｕ  Ｔａｔｓｕｔａ  ｅｔ  ａｌ．，“Ｄｅｓｉｇｎ  ｐｈｉｌｏｓｏｐｈｙ  ａｎｄ  ｐｅｒｆｏｒｍａｎｃｅ  ｏｆ  ａ  ＧＥ−ＰＯＮ  ｓｙｓｔｅｍ  ｆｏｒ  ｍａｓｓ  ｄｅｐｌｏｙｍｅｎｔ”，  Ｊｏｕｒｎａｌ  ｏｆ  Ｏｐｔｉｃａｌ  Ｎｅｔｗｏｒｋｉｎｇ，ｖｏｌ．６，Ｎｏ．６，ｐｐ．６８９−７００，２００７
【非特許文献４】Ｋｅｎｊｉ  Ｓａｔｏ  ｅｔ  ａｌ．，“Ｗｉｄｅｂａｎｄ  Ｅｘｔｅｒｎａｌ  Ｃａｖｉｔｙ  Ｗａｖｅｌｅｎｇｔｈ−Ｔｕｎａｂｌｅ  Ｌａｓｅｒ  Ｕｔｉｌｉｚｉｎｇ  ａ  Ｌｉｑｕｉｄ−Ｃｒｙｓｔａｌ−Ｂａｓｅｄ  Ｍｉｒｒｏｒ  ａｎｄ  ａｎ  Ｉｎｔｒａｃａｖｉｔｙ  Ｅｔａｌｏｎ”，Ｊｏｕｒｎａｌ  ｏｆ  Ｌｉｇｈｔｗａｖｅ  Ｔｅｃｈｎｏｌｏｇｙ，ＩＥＥＥ，Ｖｏｌ．２５，Ｎｏ．８，ｐｐ．２２２６−２２３２，２００７
【発明の概要】
【発明が解決しようとする課題】
【０００９】
このような波長可変型のＷＤＭ／ＴＤＭ−ＰＯＮを運用するにあたっては、各加入者装置（ＯＮＵ：Ｏｐｔｉｃａｌ  Ｎｅｔｗｏｒｋ  Ｕｎｉｔ）に対してシステムの総帯域、特に上りの総帯域を効率良く分配するべく、動的に波長及び帯域を割り当てるアルゴリズムが必要であり、その方法としては既にいくつかの報告が挙がっている（例えば、非特許文献２参照。）。【００１０】
一方、従来のＧＥ−ＰＯＮで用いられてきた、帯域利用効率が高く、遅延の小さい上り信号多重方式として、非特許文献３や特許文献１に示されるような動的帯域割当て（ＤＢＡ：Ｄｙｎａｍｉｃ  Ｂａｎｄｗｉｄｔｈ  Ａｌｌｏｃａｔｉｏｎ）方式がある。これを仮に複数リクエスト方式と呼ぶ。この方式は、ある固定された周期内にＯＮＵそれぞれが要求する帯域を局側装置（ＯＬＴ：Ｏｐｔｉｃａｌ  Ｌｉｎｅ  Ｔｅｒｍｉｎａｌ）が集約し、その情報を基に、必ず最低限の上り信号送信許可を与える、すなわち上り帯域を各ＯＮＵに割り当てることを保証している。そのため、一定周期ごとにＯＮＵが帯域を要求すれば、送信許可を与えられるまでの待ち時間、すなわち遅延時間が一定周期未満になる、という特徴を持つ。【００１１】
また、上り信号の送信許可が必要なＯＮＵすべての情報を集約して、上り信号送信許可を与えるため、上り帯域を効率よくかつ公平に各ＯＮＵへの帯域割り当てが行われる。ここで、上りとは、ＯＮＵからＯＬＴへの方向をいい、下りとはＯＬＴからＯＮＵへの方向をいう。【００１２】
図１を用いて、複数リクエスト方式で用いられる一定周期のＤＢＡアルゴリズムによる上り帯域制御を説明する。図１には時間を横軸に、ＯＬＴとＯＮＵ１〜ＯＮＵｎとの制御信号および上り信号が送信される様子を記載している。ＯＬＴ及びＯＮＵの時間軸を示す矢印は、上側に上り信号のタイミング、下側に下り信号のタイミングを示す。即ち、ＯＬＴでは上側に受信信号のタイミング、下側に送信信号のタイミングを示すことになる。ＯＮＵでは下側に受信信号のタイミング、上側に送信信号のタイミングを示すことになる。【００１３】
ＯＬＴから送信された信号は光ファイバを介してＯＮＵで受信される。ＯＮＵｎはＰＯＮトポロジの中でＯＬＴから一番遠くの距離にあるＯＮＵとする。ＯＮＵの時間軸を示す矢印においては、上側に信号の送信タイミング、下側に信号の受信タイミングを示している。ＤＢＡのｉ番目の周期において、その１周期の時間をＴ＿ｄｂａ＿ｉと表記し、その値は固定値とする。【００１４】
次にＯＬＴがＯＮＵの上り帯域を制御する動作について説明する。ＯＬＴは、各ＯＮＵに対しＲｅｐｏｒｔ信号および上り信号の送信開始時刻および送信継続時間を指示したＧＡＴＥ信号を送信する。ＯＮＵｎへの周期ＩのＧＡＴＥ信号をｇｎ＿ｉと表記する。各ＯＮＵはｇ１＿ｉ−１〜ｇｎ＿ｉ−１を受信すると、ＧＡＴＥ信号に指示された時刻に、ＯＮＵに蓄積されている上り信号用バッファのデータ量をＲｅｐｏｒｔ信号ｒｅｐ１＿ｉ〜ｒｅｐｎ＿ｉとしてＯＬＴへ送出することで報告する。ＯＬＴへ送信する時刻はｇｎ＿ｉ−１にて指示されている。また、ＯＬＴはｇ１＿ｉ−１〜ｇｎ＿ｉ−１で指示するＲｅｐｏｒｔ信号を送信する時刻は、それらＲｅｐｏｒｔ信号がＯＬＴで衝突しないよう伝搬時間を考慮して指示する。また、上り信号の時刻とデータ量もｇｎ＿ｉ−１に指示されており、指定の時刻に上り信号ｄｎ＿ｉ−１をＯＬＴへ送信する。【００１５】
ＯＬＴは、各ＯＮＵから受信したＲｅｐｏｒｔ信号（ｒｅｐ１＿ｉ〜ｒｅｐｎ＿ｉ）に記載されている送信要求に基づき、ｄ１＿ｉ〜ｄｎ＿ｉの各上り信号をそれぞれのＯＮＵがどの時刻に、どれだけの時間だけ送出するかの割当を計算する。また、次の周期のＲｅｐｏｒｔ信号（ｒｅｐ１＿ｉ＋１〜ｒｅｐｎ＿ｉ＋１）を送信する時刻も計算する。それらの計算結果をＧＡＴＥ信号（ｇ１＿ｉ〜ｇｎ＿ｉ）に入れ、各ＯＮＵへ送信する。ｇ１＿ｉ〜ｇｎ＿ｉを受信した各ＯＮＵは、再びＲｅｐｏｒｔ信号ｒｅｐ１＿ｉ＋１〜ｒｅｐｎ＿ｉ＋ｎを生成し、ＯＬＴへ送信し、上り信号ｄ１＿ｉ〜ｄｎ＿ｉを指定された時刻に送信する。【００１６】
このようにＯＬＴが、各ＯＮＵの要求する帯域情報を収集し、上り信号送信開始時刻、送信継続時間を計算してＯＮＵに指示し、それに従ってＯＮＵが上り信号を送信するため、ＰＯＮの共有する光ファイバで上り信号が干渉なく、かつＯＮＵの要求に応じた柔軟な帯域を割り当てて、効率の高い上り通信が実現されている。【００１７】
ＤＢＡは、このようにＯＬＴからＧＡＴＥ信号を送信し、それを受信したＯＮＵからＲｅｐｏｒｔ信号と上り信号を送信し、それを受信したＯＬＴが割り当て時刻、送信データ量を計算して各ＯＮＵにＧＡＴＥ信号の送信で次のＲｅｐｏｒｔ信号と上り信号の送信指示を行うという周期を繰り返す。その周期Ｔ＿ｄｂａは、Ｒｅｐｏｒｔの受信時間Ｔ＿Ｒｒｅｐ、ＯＮＵの上り信号を割り当てを計算する時間Ｔ＿ｃａｌｃ、ＧＡＴＥ信号をＯＮＵへ送信する時間Ｔ＿Ｓｇａｔｅ、ＧＡＴＥ信号が伝搬し、ＯＮＵがＧＡＴＥ信号を受信してＲｅｐｏｒｔ信号を作成してＯＬＴへ送信し、ＯＬＴがそのＲｅｐｏｒｔ信号を受信する直前までの折り返し時間Ｔ＿ｒｔを用いて、
Ｔ＿ｄｂａ＝Ｔ＿Ｒｒｅｐ＋Ｔ＿ｃａｌｃ＋Ｔ＿Ｓｇａｔｅ＋Ｔ＿ｒｔ
と表される。【００１８】
上記説明した、非特許文献３や特許文献１に記載のＤＢＡである複数リクエスト方式は、単一上り波長を想定した方式であり、複数の波長を用いることを想定していない。【００１９】
したがって、このＤＢＡを波長可変型のＷＤＭ／ＴＤＭ−ＰＯＮに適用することを想定すると、ＯＬＴによる動的帯域割当ての他に、動的に波長を割り当てる動的波長割り当ての仕組みを追加し、ＯＮＵが上り信号の波長を切替えることを想定した制御が新たに必要になる。【００２０】
ＯＮＵの波長を切替えるかどうかの判断は、例えば、ＯＬＴが各ＯＮＵからのＲｅｐｏｒｔ信号を受信し、ある上り信号波長（ここでλ１とする）に収容されているＯＮＵからの要求帯域の総和が、その波長の上り帯域を超えており、かつ別の上り信号波長（ここでλ２とする）の上り帯域ではその要求帯域を受信するだけの空き帯域があるという条件を設けることで実現できる。【００２１】
図２に、波長切替指示も含めた動的波長帯域割当（ＤＷＢＡ： Ｄｙｎａｍｉｃ  Ｗａｖｅｌｅｎｇｔｈ  ａｎｄ  Ｂａｎｄｗｉｄｔｈ  Ａｌｌｏｃａｔｉｏｎ）の動作を示す。使用している用語および図の構成は図１と同様である。図２ではｉ番目のＤＷＢＡ周期をＴ＿ｄｗｂａ＿ｉと表記する。【００２２】
ＯＬＴは送受信する波長ごとに送受信器を有する。各波長の送受信器が実装されている部分をＬＣ（Ｌｉｎｅ  Ｃａｒｄ）と表すこととする。ＬＣ１〜ＬＣｍまでラインカードがＯＬＴに組み込まれると、送信する波長の数はｍで、受信する波長の数もｍとなる。ＬＣ１が受信する上り信号波長をλ１とし、以降ＬＣｍが受信する上り信号波長はλｍと表す。上りと下りで別波長を利用する場合は、全部で２ｍの波長数となり、同一波長を利用する場合は、全部でｍの波長数となる。【００２３】
次にＯＬＴがＯＮＵの上り送信時刻と割当波長を制御する動作について説明する。
ＯＬＴはＯＮＵにＲｅｐｏｒｔ信号と上り信号の送信時刻および送信時間を指示したＧａｔｅ信号を各ＯＮＵに送信する。各ＯＮＵはｇ１＿ｉ−１〜ｇｎ＿ｉ−１を受信すると、そのＧａｔｅ信号に指示された時刻に、ＯＮＵが上り信号を送出するために必要な帯域をＲｅｐｏｒｔ信号ｒｅｐ１＿ｉ〜ｒｅｐｎ＿ｉとしてＯＬＴへ要求する。ＯＬＴの指示するＲｅｐｏｒ信号を送信する時刻は、それらＲｅｐｏｒｔ信号が重なり合ってＯＬＴで衝突しないよう伝搬時間を考慮して計算されている。また、Ｇａｔｅ信号には上り信号の送信時刻と送信継続時間もｇ１＿ｉ−１〜ｇｎ＿ｉ−１に指示されており、指定の時刻に上り信号ｄ１＿ｉ−１〜ｄｎ＿ｉ−１をＯＬＴへ送信する。
ＯＬＴは各ＯＮＵから受信したＲｅｐｏｒｔ信号ｒｅｐ１＿ｉ〜ｒｅｐｎ＿ｉに記載されている要求に基づき、ＯＮＵの上り信号ｄ１＿ｉ〜ｄｎ＿ｉをどの時刻に、どのくらいの時間、どの波長で送出するかを計算する。【００２４】
図２においては、周期Ｔ＿ｄｗｂａ＿ｉにおいてＯＮＵｎの上り信号波長をλ１からλ２へ変更すると算出された場合を例示する。この時ＯＮＵｎへのＧａｔｅ信号であるｇｎ＿ｉには波長をλ２へ変更する指示が含まれる。【００２５】
また、次の周期のＲｅｐｏｒｔ信号ｒｅｐ１＿ｉ＋１〜ｒｅｐｎ＿ｉ＋１を送信する時刻と送信継続時間も計算し、それらの計算結果をＧａｔｅ信号ｇ１＿ｉ〜ｇｎ＿ｉに入れ、各ＯＮＵへ送信する。Ｒｅｐｏｒｔ信号の送信する時刻は、ＯＮＵｎが波長を切替えている時間は信号を送信できないことを考慮して、すべてのＯＮＵが信号が送信できるよう時刻を計算して指定する。特に、ｒｅｐｎ＿ｉ＋１は切替え後の波長であるλ２のＬＣ配下にあるＯＮＵの信号と衝突しないような時刻となる必要がある。ｇｎ＿ｉを受信したＯＮＵｎはλ２へ波長を切替え、λ２でＲｅｐｏｒｔ信号ｒｅｐｎ＿ｉ＋ｎを送信する。【００２６】
Ｇａｔｅ信号ｇ１＿ｉ〜ｇｎ−１＿ｉを受信したその他のＯＮＵは再びＲｅｐｏｒｔ信号ｒｅｐ１＿ｉ＋１〜ｒｅｐｎ−１＿ｉ＋１を生成し、ＯＬＴへ送信し、上り信号ｄ１＿ｉ〜ｄｎ−１＿ｉを指定された時刻に送信することで、ＤＷＢＡ周期を繰り返す。一方、λ２で新しくＲｅｐｏｒｔ信号ｒｅｐｎ＿ｉ＋１を受信したＬＣ２は新たにＯＮＵｎが加わったことを認識し、帯域の割当て計算を行い、Ｇａｔｅ信号ｇｎ＿ｉ＋１をＯＮＵｎへ送信する。ＯＮＵｎはそのＧａｔｅ信号ｇｎ＿ｉ＋１を受信し、ｇｎ＿ｉ＋１で指定された時刻においてλ２に切替えて最初の上り信号であるｄ２＿ｉ＋１を送信する。【００２７】
ここで、ＤＷＢＡ周期Ｔ＿ｄｗｂａは複数リクエスト方式で用いられているＤＢＡと同様に、以下の式であらわされる。
Ｔ＿ｄｗｂａ＝Ｔ＿Ｒｒｅｐ＋Ｔ＿ｃａｌｃ＋Ｔ＿Ｓｇａｔｅ＋Ｔ＿ｒｔ【００２８】
図２においては、ＯＮＵｎへのＧａｔｅ信号に波長λ１からλ２への切替指示が含まれており、ＯＮＵｎはＧａｔｅ信号を受信してから波長切替えを開始し、切替え完了後ＬＣ２に対しλ２で要求信号を送信する。したがって、Ｔ＿ｒｔの最大値は、切替えに要する時間をＴ＿ｌｍａｘとすると、最大距離のＯＮＵに伝搬に要する伝搬遅延Ｔ＿ｐｒｏｐを用いて以下の式であらわされる。
Ｔ＿ｒｔ＝２Ｔ＿ｐｒｏｐ＋Ｔ＿ｌｍａｘ
つまり、従来の動的波長帯域割当ての周期Ｔ＿ｄｗｂａは従来のＤＢＡに比べ波長切替え時間Ｔ＿ｌｍａｘ分だけ長くなる。【００２９】
ＯＮＵに用いる波長可変送受信器用の部品として、例えば非特許文献４に示すような液晶を用いた波長可変フィルタが挙げられる。液晶の分子の向き（配向）を電場で制御することで光学異方性を変化させ、透過波長を変更させる。この分子の向きの制御に時間がかかり、数ミリ秒から数百ミリ秒の切替え時間が発生する。このような様々な波長可変フィルタの適用を想定すると、上記のＴ＿ｒｔは波長切替え時間が支配的となる可能性がある。【００３０】
波長の切替えに伴ってＤＷＢＡ周期が長くなると、以下の問題が生じる。
図２に示すように、Ｒｅｐｏｒｔ信号ｒｅｐ１＿ｉ、ｒｅｐ２＿ｉに対して許可された上り信号であるｄ１＿ｉ、  ｄ２＿ｉは、周期Ｔ＿ｄｗｂａ＿ｉ＋１にＯＬＴで受信される。ＤＷＢＡ周期が長くなると、ＯＮＵ１がｒｅｐ１＿ｉで要求してから実際に上り信号を送信するｄ１＿ｉまでの時間が図１で示す従来のＴＤＭ−ＰＯＮにおける動的帯域割当時よりも長くなると想定される。つまり、ＯＮＵ内のバッファメモリに蓄積されている時間が長くなるため、上り信号の遅延が増加する。さらに、ＤＷＢＡ周期が長くなるということはそのバッファメモリ量を多く持たなくてはならなくなるため、ＯＮＵのコスト増を招く。【００３１】
また、ＤＷＢＡ周期が長くなると、１ＯＮＵあたりの割り当てることができる時間は大きくなる。例えばＯＮＵ１がｄ１＿ｉとして送信できる時間は、ＯＮＵの数が等しいとし、各ＯＮＵに帯域を案分するとすると、図１の従来のＴＤＭ−ＰＯＮに比べ、図２の方が多くとることができる。このＯＬＴの指示により送信可能となる時間に上り信号を送出するため、ＯＮＵのトラフィックが時間的に集中し、バースト性が高くなる。例えばフレーム長とフレーム間隔の短い定常トラフィックをＯＮＵに上り信号として入力しても、ＯＮＵからＯＬＴに送信される上り信号はｄ１＿ｉの時間内に一度に送出されるというトラフィック特性に変わる可能性がある。したがって、ＤＷＢＡ周期が長いほど、ＯＮＵが受信する上り信号をある時間内にまとめて送出することになり、バースト性の高いトラフィック特性に変換されることになる。【００３２】
一般に伝送システムは、ユーザが送受信する端末に影響を与えないよう、遅延を抑え、かつ入力されるトラフィック特性をできるだけ維持して送信するよう求められる。したがって、遅延の短縮とトラフィック特性の維持という観点では、ＤＷＢＡ周期はできるだけ短くすることが求められる。【００３３】
したがって、波長可変型ＷＤＭ／ＴＤＭ−ＰＯＮにおいて複数リクエスト方式等固定周期を用いた動的波長帯域割当を実現する場合は、上り信号の伝送遅延やバースト性の増加を抑制する、すなわち割当周期の増加を最小限の抑えることのできる波長切替え方法が求められる。
【課題を解決するための手段】
【００３４】
そこで本発明は、上り信号の送出時刻及び送信継続時間を割り当てるＤＢＡ周期と、上り信号の波長を割り当てる動的波長割当周期（ＤＷＡ周期）とを分けることとした。ＤＢＡ周期では、その周期ごとにＯＮＵが上り信号の帯域を要求し、それに従いＯＬＴが上り信号を送出する時刻、送信継続時間を計算し、指示し、その指示に従ってＯＮＵが上り信号を送信する。ＤＷＡ周期では、その周期ごとにＯＬＴが波長切替えを指示し、ＯＮＵが波長を切替えて別のＬＣに所属を変更する。
また、ＯＮＵが波長を切替えている間は、波長を切替えないＯＮＵでＤＢＡ周期を複数回実施することを可能とし、波長切替え後に波長切替えを確認してから切替え後の波長でのＤＢＡ動作を行うこととした。【００３５】
本願発明の光加入者システムは、
複数の上り波長を切替え、帯域を可変にして送受信を行う局側装置と、
前記局側装置とＰＯＮトポロジで接続され、上り波長を切替え、帯域を可変にして送受信を行う複数の加入者装置と、
を備える光加入者システムであって、
前記局側装置は、前記加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替を完了した波長切替完了報告を新たな上り波長で送信するよう指示して、複数の前記所定周期に跨って前記新たな上り波長で前記波長切替完了報告を待ち、
前記加入者装置は、前記所定周期ごとに上り信号帯域を前記局側装置に要求し、前記局側装置が波長割当を切替えない場合は、前記上り波長を切替えることなく前記局側装置からの前記信号送信開始時刻及び前記送信継続時間の指示に従って送信し、前記局側装置が波長割当を切替える場合は、前記局側装置の指示に従って前記新たな上り波長に切替え、波長切替完了後、前記新たな上り波長で波長切替完了報告を送信する。【００３６】
本願発明の光加入者システムの動的波長帯域割当方法は、
複数の上り波長を切替え、帯域を可変にして送受信を行う局側装置と、
前記局側装置とＰＯＮトポロジで接続され、上り波長を切替え、帯域を可変にして送受信を行う複数の加入者装置と、を備える光加入者システムの動的波長帯域割当方法であって、
前記加入者装置は、前記所定周期ごとに上り信号帯域を前記局側装置に要求し、
前記局側装置は、前記加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替完了した波長切替完了報告を新たな上り波長で送信するよう指示し、複数の前記所定周期に跨って前記新たな上り波長で前記波長切替完了報告を待ち、
前記加入者装置は、前記局側装置が波長割当を切替えない場合は、前記上り波長を切替えることなく前記局側装置からの前記信号送信開始時刻及び前記送信継続時間の指示に従って送信し、前記局側装置が波長割当を切替える場合は、前記局側装置の指示に従って前記新たな上り波長に切替え、波長切替完了後、前記新たな上り波長で波長切替完了報告を送信する。【００３７】
本願発明の局側装置は、
複数の上り波長を切替え、帯域を可変にして送受信を行うＰＯＮトポロジの光加入者システムに適用する局側装置であって、
加入者装置からの信号帯域要求に応じて、複数の前記加入者装置の送信する信号が衝突しないように前記加入者装置に上り波長及び帯域を割当て、前記加入者装置への波長割当を切替えない場合は、所定周期ごとに信号送信開始時刻及び送信継続時間を前記加入者装置に指示し、前記加入者装置への波長割当を切替える場合は、新たな上り波長を前記加入者装置に指示し、前記加入者装置が波長切替完了した波長切替完了報告を新たな上り波長で送信するよう指示して、複数の前記所定周期に跨って前記新たな上り波長で前記波長切替完了報告を待つ。【００３８】
本願発明のプログラムは、コンピュータを、本発明の局側装置として機能させるためのプログラムである。本願発明のプログラムは、コンピュータ読取り可能な記録媒体に記録されていてもよい。【００３９】
これら本発明の構成によれば、波長切替え時間が波長切替えない場合の動的帯域割当周期、すなわちＤＢＡ周期よりも長い部品を用いた場合においても、ＯＮＵに入力される上り信号のトラフィック特性を従来のＰＯＮと同程度に保ちつつ、低い遅延で送信することができる波長可変型ＷＤＭ／ＴＤＭ−ＰＯＮシステムを提供することができる。【００４０】
前記局側装置は、前記新たな上り波長を前記加入者装置に指示してから前記波長切替完了報告を受信するまで、当該加入者装置以外の加入者装置に上り波長及び帯域を割り当ててもよい。
この構成によれば、波長切替を行っている当該ＯＮＵ以外のＯＮＵは複数リクエスト方式等の動的帯域割当方法を用いて帯域利用効率の高い上り信号送信が継続できる。【００４１】
前記局側装置が、前記新たな上り波長を前記加入者装置に指示した後、当該加入者装置に前記新たな上り波長で前記所定周期ごとに前記波長切替完了報告を指示することを繰り返し、前記新たな上り波長で前記信号帯域要求を受信待ちしてもよい。
この構成によれば、波長切替手順の完了およびその正当性をＧａｔｅ、Ｒｅｐｏｒｔの交換で確認することができる。また、時間が異なるＯＮＵが混在している場合でも、ＯＮＵの波長切替時間を正確に規定し、動的波長帯域割当て周期を仕様として一律化する必要がない。ＯＮＵに用いられる波長可変にかかわる部品の選択肢が広がることで、ＯＮＵの経済性が期待できる。【００４２】
前記局側装置が、前記新たな上り波長を前記加入者装置に指示する際に、当該加入者装置が蓄積している上り信号を直ちに送出する時刻及び送出継続時間と、当該加入者装置が前記新たな上り波長に切替を開始する時刻と、を併せて指示してもよい。
この構成によれば、ＯＮＵに蓄積されている上り信号を、波長切替前に送出することができるため、波長切替の間送信できない信号が蓄積されることによる遅延増大を減らすことができる。【００４３】
前記局側装置が、前記加入者装置に指示した前記新たな上り波長に切替を開始する時刻の後、当該加入者装置に前記新たな上り波長で前記所定周期ごとに前記波長切替完了報告を指示することを繰り返し、前記新たな上り波長で前記信号帯域要求を受信待ちしてもよい。
この構成によれば、波長切替手順の完了およびその正当性を、ＤＢＡ動作に用いられているＧａｔｅ信号、Ｒｅｐｏｒｔ信号を利用して確認することができる。また、切替時間が異なるＯＮＵが混在している場合でも、ＯＮＵの波長切替時間を正確に規定して動的波長帯域割当て周期を仕様として統一する必要がない。ＯＮＵに用いられる波長可変にかかわる部品の選択肢が広がることで、ＯＮＵの技術革新と経済性が期待できる。【００４４】
なお、上記各発明は、可能な限り組み合わせることができる。
【発明の効果】
【００４５】
本発明によれば、波長可変型ＷＤＭ／ＴＤＭ−ＰＯＮにおいて複数リクエスト方式等固定周期を用いた動的波長帯域割当を実現する場合に、上り信号の伝送遅延やバースト性の増加を抑制することができる。これにより、本発明は、割当周期の増加を最小限に抑えることができる。
【図面の簡単な説明】
【００４６】
【図１】従来技術のＴＤＭ−ＰＯＮにおけるＤＢＡを用いた上り信号送信シーケンスである。
【図２】波長可変型ＷＤＭ／ＴＤＭ−ＰＯＮに従来技術ＤＢＡを適用した場合の上り信号送信シーケンスである。
【図３】本発明の波長可変型ＷＤＭ／ＴＤＭ−ＰＯＮシステムの構成図である。
【図４】本発明の波長可変型ＷＤＭ／ＴＤＭ−ＰＯＮシステムにおけるＯＮＵの構成図である。
【図５】第１の実施形態における動的波長帯域割当方法の上り信号シーケンスである。
【図６】第２の実施形態における動的波長帯域割当方法の上り信号シーケンスである。
【発明を実施するための形態】
【００４７】
添付の図面を参照して本発明の実施形態を説明する。以下に説明する実施形態は本発明の実施の例であり、本発明は、以下の実施形態に制限されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００４８】
（実施形態１）
図３に本発明における波長可変型ＷＤＭ／ＴＤＭ−ＰＯＮシステム及びそれを構成する局側装置（ＯＬＴ）と加入者装置（ＯＮＵ）の構成図を示す。ＯＬＴ９１とＯＮＵ９２間はパワースプリッタまたは波長ルータなどの光合分岐回路９３を用いたｐｏｉｎｔ−ｔｏ−ｍｕｌｔｉｐｏｉｎｔ構成のＰＯＮトポロジで接続される。
【００４９】
ＯＬＴ９１にはＯＮＵ１〜ＯＮＵｎのｎ台のＯＮＵ９２が接続され、それぞれのＯＮＵ９２はλ１〜λｍの波長を用いて送受信する。ＯＮＵ９２はＯＬＴ９１からの指示に従ってλ１〜λｍの波長を切替えて送受信することができる。各ＯＮＵ９２には設置されるユーザ宅の通信装置からの上り信号が入力され、ＯＮＵ９２内部の光送受信器で上り光信号として送信される。上り信号はＯＮＵ９２側の光合分岐回路９３からＯＬＴ９１に向けて１本の光ファイバに多重されるため、上り信号が重ならないよう各ＯＮＵ９２が送信する上り信号の送信時刻、送信継続時間をＯＬＴ９１が算出し、制御する。
【００５０】
ＯＬＴ９１は各λ１〜λｍの波長を送受信するラインカード、ＬＣ１〜ＬＣｍと動的波長帯域割当回路１２で構成され、ＬＣ１〜ＬＣｍはＯＮＵ９２から送信される各波長の信号を受信し、上り信号として出力する。
【００５１】
動的波長帯域割当回路１２は、ＤＷＢＡ計算部３２、切替指示信号生成部３３、制御信号送信部３４、要求信号受信部３１から成り、各ＯＮＵ９２から送信された帯域要求を含んだＲｅｐｏｒｔ信号を各ＬＣ１１を通じて要求信号受信部３１で受信し、その要求に基づいて各ＯＮＵ９２に割り当てる上り信号およびＲｅｐｏｒｔ信号の送信時刻、送信継続時間をＤＷＢＡ計算部３２で算出し、その情報を格納したＧａｔｅ信号を切替指示信号生成部３３で生成し、制御信号送信部３４から各ＬＣを通じて各ＯＮＵへ送信する。
【００５２】
図４にＯＮＵ９２の構成を示す。ＯＮＵ９２はデータ受信部２１、バッファメモリ２２、フレーム送出制御部２３、フレーム組立送信部２４、波長可変光送受信器２５、要求帯域計算部２６、要求帯域信号生成部２７、フレーム送出及び波長制御信号受信部２８、波長切替制御部２９から構成される。
【００５３】
ユーザからの上り信号はデータ受信部２１で受信され、バッファメモリ２２内に一時的に蓄積される。フレーム送出制御部２３はＧａｔｅ信号によって指定された上り信号の送信時刻および送信継続時間に従って、上り信号をフレーム組立送信部２４に送る。フレーム組立送信部２４はＰＯＮ構成でＯＬＴ９１に信号を送信するために必要なフレーム形式を構成し、波長可変光送受信器２５に送る。波長可変光送受信器２５は波長切替制御部２９で指定された波長λ１〜λｍのいずれかで光信号に変換しＯＬＴ９１へ送信する。
【００５４】
波長可変光送受信器２５はＯＬＴ９１からのＧａｔｅ信号を受信して電気信号に変換し、フレーム送出及び波長制御信号受信部２８へ送る。フレーム送出及び波長制御信号受信部２８はＧａｔｅ信号の指示を解析し、Ｇａｔｅ信号に波長切替指示、切替後の波長、切替開始時刻が含まれていれば、指定された時刻に切替先波長と切替指示を波長切替制御部２９に送る。波長切替制御部２９は前記波長切替制御に従って波長可変光送受信器２５の波長を切替える。
【００５５】
また、Ｇａｔｅ信号にはＯＮＵの要求する帯域をＲｅｐｏｒｔ信号としてＯＮＵから送信するよう指示する情報が含まれる。フレーム送出及び波長制御信号受信部２８はＲｅｐｏｒｔ信号送出を要求するＧａｔｅ信号を受信すると、要求帯域信号生成部２７へＲｅｐｏｒｔ信号の生成を指示する。要求帯域信号生成部２７は要求帯域計算部２６に要求する帯域を算出するよう指示する。要求帯域信号計算部２７はバッファメモリ２２に蓄積されている上り信号のデータ量を監視、計測しており、そのデータ量に基づき要求帯域量を決定し、要求帯域信号生成部２７へ要求帯域量を送る。要求帯域信号生成部２７は要求量を含んだＲｅｐｏｒｔ信号を生成し、フレーム送出制御部２３に送る。
【００５６】
前記Ｇａｔｅ信号はＲｅｐｏｒｔ信号の送出時刻および送信量の情報が含まれている。フレーム送出及び波長制御信号受信部２８はフレーム送出制御部２３にＧａｔｅ信号に含まれていたＲｅｐｏｒｔ信号の送出時刻および送信量の情報を送り、フレーム送出制御部２３は指示された時刻にＲｅｐｏｒｔ信号をフレーム組立送信部２４に送り、波長可変光送受信器２５を介してＯＬＴ９１へＲｅｐｏｒｔ信号を送信する。また、ＯＬＴ９１から送信されるＧａｔｅ信号にはＯＮＵ９２が受信した上り信号を送信する時刻およびデータ量が含まれている。フレーム送出及び波長制御信号受信部２８はフレーム送出制御部２３にＧａｔｅ信号に含まれていた上り信号の送出時刻および送信量の情報を送り、フレーム送出制御部２３は指示された時刻に上り信号をバッファメモリ２２から送信量を超えないデータ量のフレームを取り出し、フレーム組立送信部２４に送り、波長可変光送受信器２５を介してＯＬＴ９１へＲｅｐｏｒｔ信号を送信する。
【００５７】
次に本実施形態の動作を説明する。
図５は本発明の第１の実施形態として、動的波長帯域割当動作を図１、図２の書式に従って記載したものである。動的波長割当のｋ番目の周期の時間をＴ＿ｄｗａ＿ｋとし、動的帯域割当（ＤＢＡ）のｉ番目の周期の時間をＴ＿ｄｂａ＿ｉとする。Ｔ＿ｄｗａ＿ｋは複数のＤＢＡ周期倍に設定する。図５の例では３ＤＢＡ周期を１ＤＷＡ（動的波長割当）周期としている。
【００５８】
各ＬＣに所属するＯＮＵは各ＬＣに固定的に割り当てられている波長λ１〜λｍをそれぞれ用いて通信を行う。図５の実施形態ではＤＷＡ周期Ｔ＿ｄｗａ＿ｋ−１において、ＯＮＵ１、ＯＮＵ２、ＯＮＵｎはＬＣ１のλ１を用いて通信を行っているとする。ＬＣ１から発せられるＧａｔｅ信号ｇ１＿ｉ−１〜ｇｎ＿ｉ−１を受信した各ＯＮＵは、各Ｇａｔｅ信号に含まれるＲｅｐｏｒｔ信号と上り信号の送信時刻および継続時間に従って、まずＲｅｐｏｒｔ信号ｒｅｐ１＿ｉ〜ｒｅｐｎ＿ｉをＯＬＴへ送信する。また上り信号ｄ１＿ｉ−１〜ｄｎ＿ｉ−１を送信する。
【００５９】
ＤＷＡ周期Ｔ＿ｄｗａ＿ｋかつＤＢＡ周期Ｔ＿ｄｂａ＿ｉのＲｅｐｏｒｔ信号を受信したＯＬＴ９２は、動的波長帯域割当回路１２にて、Ｒｅｐｏｒｔ信号で要求された帯域から、各ＯＮＵに割り当てる帯域と波長を計算する。波長を切替えないと計算されたＯＮＵ９２に対しては、任意のＤＢＡ計算手法にしたがった帯域割当計算結果をＧａｔｅ信号に記載し、ＯＮＵ９２に指示する。
【００６０】
本実施形態では計算の結果ＯＮＵｎの波長をλ１からλ２へ変更し、ＬＣ２へ所属するよう変更する例として記載する。この場合、割当て計算を実施したＯＬＴ９１はｇｎ＿ｉを除くＧａｔｅ信号のｇ１＿ｉ〜ｇｎ−１＿ｉにＴ＿ｄｂａ＿ｉ周期におけるＲｅｐｏｒｔ信号および上り信号の送信時刻および継続時間を記載して送信する。以降ＯＮＵ１〜ＯＮＵｎ−１については、これまで記載したＤＢＡの動作に基づき上り信号を送信することができる。
【００６１】
一方、波長を切替えるＯＮＵｎに対するＧａｔｅ信号ｇｎ＿ｉには、波長λ２へ切替える指示を記載して送信する。波長を切替えるＯＮＵｎはＧａｔｅ信号ｇｎ＿ｉを受信し、波長λ２への切替指示が記載されていることを確認した後に、図４に記載の波長切替動作を開始する。波長切替時間はＯＮＵに用いる波長可変部品の性能に依存するが、最大でもＴ＿ｌｍａｘ以内と規定されていることとする。
【００６２】
ＯＬＴ９１はＯＮＵｎに対して波長をλ１からλ２へ切替えることを指示した後は、Ｇａｔｅ信号の送信およびＲｅｐｏｒｔ信号受信をＬＣ１からＬＣ２へ引き渡す。ＬＣ２へ引き渡された後、ＬＣ２はＯＮＵｎからのＲｅｐｏｒｔ信号を受信できるまでＤＢＡ周期毎に、ＯＮＵｎからのＲｅｐｏｒｔ信号の送信タイミングを計算し、その指示を記載したＧａｔｅ信号をＯＮＵｎに送信することを繰り返す。図５においてＬＣ２からｇａｔｅ信号ｇｎ＿ｉ＋１が送信されるが、ＯＮＵｎは波長切替中であり、当該Ｇａｔｅ信号は受信されない。一方、ＯＮＵｎからの波長切替完了報告を受信するまでは、上り信号の送信時刻および送信継続時間はＤＢＡの計算には繰り入れなくてもよい。なぜなら、その時点ではＯＮＵｎはλ２で送受信が不可能であり、上り信号の帯域をその他のＬＣ２に所属する別のＯＮＵの帯域として活用することができるからである。また、ＯＮＵｎからの波長切替完了報告は、例えばＲｅｐｏｒｔ信号に波長完了情報を記載することが一般的に考えられるが、その他に、切替完了後にＯＮＵｎから送信されるＲｅｐｏｒｔ信号による帯域要求をＬＣ２が受信することをもって波長完了報告とみなすこともできる。
【００６３】
ＯＮＵｎの波長切替えが完了すると、ＯＮＵｎはλ２での送受信が可能になる。図５においてはＧａｔｅ信号ｇｎ＿ｉ＋２は受信することができる。ＯＮＵｎはそのＧａｔｅ信号に記載されているＲｅｐｏｒｔ信号の送信時刻および送信継続時間にしたがって、λ２でＲｅｐｏｒｔ信号ｒｅｐｎ＿ｉ＋３を送信する。その際はＤＢＡ計算と同様に、ＯＮＵｎの要求帯域計算部２６及び要求帯域信号生成部２７と用いて上り信号送信許可の要求をｒｅｐｎ＿ｉ＋３に記載する。ＯＬＴはλ２でのＲｅｐｏｒｔ信号ｒｅｐｎ＿ｉ＋３の受信を以てＯＮＵｎの波長切替が完了した波長切替完了報告とみなし、Ｌ２に所属する上り信号のＤＢＡ計算にＯＮＵｎからのＲｅｐｏｒｔ信号の情報を繰り入れる。そしてその計算結果をＧａｔｅ信号ｇｎ＿ｉ＋３に記載してＯＮＵｎに送信し、ＯＮＵｎはそのＧａｔｅ信号に記載の送信時刻および送信継続時間に従って上り信号ｄｎ＿ｉ＋３をＯＬＴへ送信する。
【００６４】
以上、本実施形態ではｒｅｐ１＿ｉ〜ｒｅｐｎ＿ｉの受信から、ｒｅｐ１＿ｉ＋３〜ｒｅｐｎ＿ｉ＋３の受信の直前を１ＤＷＡ周期とし、波長の切替シーケンスと周期を設定した。本実施形態では１つのＯＮＵに対して波長の切替シーケンスを例示したが、Ｔ＿ｄｂａ＿ｉの割当て計算負荷が低い、または動的波長帯域割当回路の計算能力が十分高い場合は、ＤＷＡ周期内で複数のＯＮＵの波長を同時に変更することも可能である。
【００６５】
また、波長の切替えの計算タイミングは必ずしもＴ＿ｄｂａ＿ｉとは限らない。ＤＷＡ周期Ｔ＿ｄｗａの先頭のＴ＿ｄｂａ周期におけるＧａｔｅ信号を送出後、次のＤＷＡ周期Ｔ＿ｄｗａの先頭のＴ＿ｄｂａ周期の計算時間Ｔ＿ｃａｌｃまでの間にどのＯＮＵの波長を切替えるかを決定すればよい。ただし、波長を切替えないＯＮＵに対しては各ＤＢＡ周期におけるＴ＿ｃａｌｃ内で帯域割当計算を実施する必要がある。
【００６６】
本実施形態によって、従来技術に比べ、以下の効果が期待できる。
本実施形態では、波長可変型ＷＤＭ／ＴＤＭ−ＰＯＮシステムの波長可変部品が波長切替に時間を要する場合でもＯＮＵの上り信号を動的に波長と帯域の割当を効率的に実現するために、そのすべての計算をＤＢＡ周期毎に都度行わず、ＯＬＴが上り信号を送出する時刻、時間を計算し、指示することでＯＮＵが上り信号を送信するＤＢＡ周期と、ＯＬＴが波長切替を指示し、ＯＮＵが波長を切替えて別のＬＣへ新しく上り信号の送信許可要求を行うＤＷＡ周期を分けている。また、ＯＮＵが波長を切替えている間は、波長を切替えないＯＮＵでＤＢＡを複数周期実施することを可能とし、波長を切替えるＯＮＵは、波長切替後に波長切替を確認してから切替後の波長でのＤＢＡ動作を行う。この構成により、波長切替時間がＤＢＡ周期よりも長い部品をＯＮＵに用いた場合において、固定周期の動的波長帯域割当方法を用いたとしても、帯域割当周期が長くなることによる遅延の増大を抑制することができる。
【００６７】
また、波長切替中においても、波長切替を行わないＯＮＵはＤＢＡ動作を継続する。これにより、あるＯＮＵが波長切替中であっても、波長を切替えないＯＮＵについては、複数リクエスト方式等の既存のＤＢＡ方式を用いて、帯域利用効率の高いかつ遅延を抑制した上り信号送信が継続できる。
【００６８】
また、波長切替を行うＯＮＵは、波長切替後に波長切替手順の完了およびその正当性を、従来のＤＢＡ動作であるＧａｔｅ信号、Ｒｅｐｏｒｔ信号の交換で確認することができる。これにより、波長の切替に関する確認行為を既存ＴＤＭ−ＰＯＮの動的帯域割当における制御フレーム送受信で行うため、波長切替の確認を行うための新しい手順を追加する必要がなく、効率的である。
【００６９】
さらに、実装の簡易性のために、Ｔ＿ｌｍａｘの最大値を定め、ＤＷＡ周期をＤＢＡ周期の複数倍とすると本実施形態では説明したが、ＤＷＡ周期がＤＢＡ周期の複数倍であること以外は、ＤＷＡ周期に対する限定、固定化を行わなくてもＤＷＡ動作は実施可能である。したがって、波長切替時間が異なるＯＮＵが混在している場合でも、ＯＮＵの波長切替時間を正確に規定して動的波長帯域割当て周期を仕様として厳密に統一化する必要がない。すなわち、ＯＮＵに用いられる波長可変にかかわる部品の選択肢が広がり、ＯＮＵの技術革新と経済化が期待できる。さらに、波長切替を行うＯＮＵに対しては、波長切替中に上り信号の送信開始時刻、送信継続時間を指示しない。したがって、ＯＮＵのバッファメモリが波長切替時間以上蓄積できる十分な容量を有する場合は、そのバッファメモリに上り信号を蓄積することで、波長切替動作による上り信号のフレーム損を回避することができる。
【００７０】
なお、本願明細書においては、理解の容易のため、ＤＢＡのｉ番目の周期の時間が固定値である場合について説明したが、本願発明はこれに限定されない。ＤＢＡのｉ番目の周期の時間が変動する場合であっても、図５におけるＴ＿ｌｍａｘがＴ＿ｄｂａ＿ｉより大きくなるという課題は生じる。本願発明は、そのような場合においても複数ＤＢＡ周期を跨って波長切替を行うことで、当該課題を解決することができる。すなわち、Ｔ＿ｄｗａ＿ｋを複数ＤＢＡ周期以上でＴ＿ｌｍａｘより十分長く確保し、波長切替完了報告を受信するに十分な期間を有すれば、図５におけるＴ＿ｄｂａ＿ｉ＋１以降のＤＢＡ割当周期が変動しても、Ｔ＿ｄｗａ＿ｋすなわちＤＷＡ周期が変動しても、本実施形態で提示した手順にて波長切替を完了させることは可能である。
【００７１】
（実施形態２）
図６は本発明の第２の実施形態を図５と同様の書式に従って記載したものである。ＯＬＴおよびＯＮＵの構成は図３、図４と同一である。図６における動作の記載方法及び基本的な動作も実施形態１とほぼ同様である。本実施形態においても計算の結果ＯＮＵｎの波長をλ１からλ２へ変更し、ＬＣ２へ所属するよう変更する例として記載する。
【００７２】
本実施形態の実施形態１との差分は、ＤＷＡ周期Ｔ＿ｄｗａ＿ｋ、ＤＢＡ周期Ｔ＿ｄｂａ＿ｉにおける、波長を切替える場合のＯＮＵｎに対するＤＢＡ計算、Ｇａｔｅ信号ｇｎ＿ｉに記載の情報、およびＯＮＵｎの動作である。
【００７３】
ＤＢＡ周期Ｔ＿ｄｂａ＿ｉで受信したＲｅｐｏｒｔ信号により、ＯＮＵｎの波長をλ１からλ２へ変更すると計算した動的波長帯域割当回路１２は、その周期における上り信号の送信をＯＮＵｎを最優先することとする。具体的にはＯＮＵｎの上り信号ｄｎ＿ｉをＤＢＡ周期Ｔ＿ｄｂａ＿ｉ＋１において最初の上り信号受信となるようにスケジューリングを行う。
【００７４】
Ｇａｔｅ信号ｇｎ＿ｉには、波長λ２へ切替える指示とともに、上り信号ｄｎ＿ｉの送信時刻、送信時間が含まれて、ＯＮＵｎへ送信される。波長を切替えるＯＮＵｎはＧａｔｅ信号ｇｎ＿ｉを受信し、波長λ２への切替指示が記載されていることを確認し、上り信号ｄｎ＿ｉをλ１で送信した後に、図４に記載の波長切替動作を開始する。
【００７５】
実施形態における従来技術に比較しての動作は、第１の実施形態と同様である。加えて本実施形態は以下の効果が期待できる。
第１の実施形態においては、ＯＮＵｎが帯域を要求するＲｅｐｏｒｔ信号ｒｅｐｎ＿ｉを送信してから、実際にデータが送信される上り信号はｄｎ＿ｉ＋３となる。すなわち、ｒｅｐｎ＿ｉ−１からｒｅｐｎ＿ｉまでに蓄積されたデータは、最悪の場合１ＤＷＡ周期以上待たされることになり、遅延が増大する。
【００７６】
本実施形態では、Ｒｅｐｏｒｔ信号ｒｅｐｎ＿ｉに対する上り信号を先に送信してから波長を切替える動作を行うため、ｒｅｐｎ＿ｉ−１からｒｅｐｎ＿ｉまでに蓄積されたデータをＤＢＡ周期Ｔ＿ｄｂａ＿ｉ＋１に送信することが可能であり、波長切替によって生じる遅延の増加を軽減させるという効果がある。
【００７７】
なお、実施形態１、２において、光ファイバを用いたアクセス方式として、ＰＯＮトポロジの上り信号の帯域割当てを、波長および時間に振り分けて送信する手法について記載した。しかし、本発明の適用は同様の形態である無線通信にも適用できる。
【産業上の利用可能性】
【００７８】
本発明にかかる動的波長帯域割り当て方式、回路、プログラムおよびそれを記録した記録媒体は、波長可変型ＷＤＭ／ＴＤＭ−ＰＯＮにおいて、帯域割当による平均遅延増大の抑制と、ＯＮＵのコスト低減のための、複数の波長の総帯域を各ＯＮＵへ有効に割り当て可能とする動的波長帯域割当て方法を提供できる。
【符号の説明】
【００７９】
１１：ＬＣ
１２：動的波長帯域割当回路
２１：データ受信部
２２：バッファメモリ
２３：フレーム送出制御部
２４：フレーム組立送信部
２５：波長可変光送受信器
２６：要求帯域計算部
２７：要求帯域信号生成部
２８：フレーム送出及び波長制御信号受信部
２９：波長切替制御部
３１：要求信号受信部
３２：ＤＷＢＡ計算部
３３：切替指示信号生成部
３４：制御信号送信部
９１：ＯＬＴ
９２：ＯＮＵ
９３：光合分岐回路
【図１】
0005835762.tif 000002
【図２】
0005835762.tif 000003
【図３】
0005835762.tif 000004
【図４】
0005835762.tif 000005
【図５】
0005835762.tif 000006
【図６】
0005835762.tif 000007